(57)【要約】【課題】広い所要スペースと高い投入コストが不要な、処理機械へ枚葉紙を供給する装置と、その装置へバー状または束状の枚葉紙を供給する方法を提供する。【解決手段】紙や厚紙などからなる枚葉紙４を処理機械の紙さばき装置２へ供給する装置１が、搬送装置１６を備えている紙積み台を有しており、紙積み台は、固定の部分１０と、回転軸Ｓを中心として揺動可能な部分１１とを有している。搬送装置１６は、１つの辺を下にして立っている枚葉紙４を紙さばき装置２へ供給する。紙積み台の揺動可能な部分１１は、揺動運動ａにより、紙積み台の固定の部分１０とともにほぼ１つの平面を形成する上側の位置から、それよりも高さの低い下側の位置へ揺動可能である。【選択図】  図１
2008290883.tif 000002
【特許請求の範囲】
【請求項１】
紙や厚紙などからなる枚葉紙（４）を処理機械の紙さばき装置（２）へ供給する装置（１）であって、該装置（１）は搬送装置（１６）を備えている紙積み台（１０，１１）を有しており、前記搬送装置（１６）により、１つの辺を下にして立っている前記枚葉紙（４）が前記紙さばき装置（２）へ供給され、前記紙積み台（１０，１１）は分割され、固定の部分（１０）と、回転軸（Ｓ）を中心として揺動可能に支持された部分（１１）とを有している、枚葉紙を供給する装置において、
前記紙積み台の前記揺動可能な部分（１１）は、揺動運動（ａ）により、前記紙積み台の前記固定の部分（１０）とともにほぼ１つの平面を形成する上側の位置から、それよりも高さの低い下側の位置へ揺動可能である
ことを特徴とする、枚葉紙を供給する装置。
【請求項２】
前記紙積み台の前記揺動可能な部分（１１）は、前記回転軸（Ｓ）を中心として揺動可能な受け部と、該受け部によって受けることが可能な台とから構成されている、請求項１に記載の装置。
【請求項３】
前記紙積み台の前記固定の部分（１０）は、前記処理機械の前記紙さばき装置（２）に隣接している、請求項１または２に記載の装置。
【請求項４】
前記紙積み台の前記揺動可能な部分（１１）は、少なくとも１つの上側の位置と少なくとも１つの下側の位置で係止可能である、請求項３に記載の装置。
【請求項５】
前記紙積み台の前記揺動可能な部分の前記揺動運動（ａ）は、少なくとも１つのばね（１３）および／またはアクチュエータ（１３）および／またはモータによって支援される、請求項３または４に記載の装置。
【請求項６】
前記紙積み台の前記揺動可能な部分（１１）は、前記紙積み台の前記揺動可能な部分（１１）が前記下側の位置にあるときにパイル状または束状の枚葉紙（５）を支持するための受け支持体（１２）を有している、請求項１から５までのいずれか１項に記載の装置。
【請求項７】
前記紙積み台の前記固定の部分（１０）にパイルホルダ（１４）が取り付けられている、請求項１から６までのいずれか１項に記載の装置。
【請求項８】
前記紙積み台（１０，１１）は搬送方向（Ｆ）に設けられた少なくとも１つの溝（１６ｃ）を有している、請求項１から７までのいずれか１項に記載の装置。
【請求項９】
前記搬送装置（１６）は、チェーン、歯付きベルト、またはベルトを備えている供給システムを有している、請求項１から８までのいずれか１項に記載の装置。
【請求項１０】
前記搬送装置（１６）の前記供給システムはフリーホイールを有している、請求項９に記載の装置。
【請求項１１】
前記搬送装置（１６）はモータで、および／または機械的に駆動される、請求項１から１０までのいずれか１項に記載の装置。
【請求項１２】
前記搬送装置（１６）の供給速度は可変に制御可能である、請求項１１に記載の装置。
【請求項１３】
前記搬送装置（１６）は駆動装置（１７）を有している、請求項１１または１２に記載の装置。
【請求項１４】
前記搬送装置（１６）は、前記紙積み台の前記揺動可能な部分のための駆動装置と、前記紙積み台の前記固定の部分のための駆動装置（１７）とを有している、請求項１１または１２に記載の装置。
【請求項１５】
残留パイル（６）の大きさを判定するためのセンサを備えている、請求項１２、１３、または１４に記載の装置において、
前記センサと、前記搬送装置（１６）の少なくとも１つの駆動装置（１７）とを含む制御ループを通じて供給速度が制御されることを特徴とする装置。
【請求項１６】
紙や厚紙などからなる枚葉紙（４）を処理機械の紙さばき装置（２）へ供給する装置（１）であって、該装置（１）は搬送装置（１６）を備えている紙積み台（１０）を有しており、前記搬送装置により、１つの辺を下にして立っている前記枚葉紙（４）が前記紙さばき装置（２）へ供給される、枚葉紙を供給する装置において、
前記装置（１）は、マガジン延長部（１８）と前記紙積み台（１０）が１つの平面を形成するように前記紙積み台（１０）に嵌め込み可能なマガジン延長部（１８）を有していることを特徴とする、枚葉紙を供給する装置。
【請求項１７】
前記処理機械（２）は丁合い綴じ機である、請求項１から１６までのいずれか１項に記載の装置。
【請求項１８】
紙や厚紙などからなる枚葉紙（４）を処理機械（２）へ供給する装置（１）へ、バー状または束状の枚葉紙（５）を供給する方法において、
ａ）紙積み台の揺動可能な部分（１１）を下側の位置へ移動させるステップと、
ｂ）前記バー状または束状の枚葉紙（５）が受け支持体に支持されるように、前記バー状または束状の枚葉紙（５）を前記紙積み台の前記揺動可能な部分（１１）に載せるステップと、
ｃ）前記紙積み台の前記揺動可能な部分（１１）を上側の位置へ移動させるステップと、
ｄ）前記バー状または束状の枚葉紙（５）と残留パイル（６）とが１つのパイルを形成するまで、前記バー状または束状の枚葉紙（５）を搬送方向（Ｆ）にスライドさせるステップと、
ｅ）パイルホルダ（１４）を外方へ揺動させ、新しく形成されたパイルの端部までスライドさせて、それから前記パイルホルダ（１４）を内方へ揺動させるステップと、
ｄ）前記バー状または束状の枚葉紙（５）の帯封状の部分を取り外すステップと、
を有している、枚葉紙を供給する方法。
【発明の詳細な説明】
【技術分野】
【０００１】
本発明は、請求項１の前提項の特徴を備えている、紙や厚紙などからなる枚葉紙を処理機械へ供給する装置（一般にフィーダとも呼ぶ）、すなわち、搬送装置を備えている紙積み台を有しており、搬送装置により、１つの辺を下にして立っている枚葉紙が紙さばき装置へ供給され、紙積み台は分割され、固定の部分と、回転軸を中心として揺動可能に支持された部分とを有している、枚葉紙を供給する装置に関するものであり、かつ、請求項１８に記載された、バー状または束状の枚葉紙を供給する方法、すなわち、紙や厚紙などからなる枚葉紙を処理機械へ供給する装置へ、バー状または束状の枚葉紙を供給する方法に関するものである。
【背景技術】
【０００２】
たとえば特許文献１に記載されているように、フィーダはマガジンだけでなく紙さばき装置も有している。処理機械に装填されるべき枚葉紙はマガジン内に用意される。紙さばき装置のドラムは、枚葉紙を１枚ずつ分離して１枚ずつ処理装置へ渡すように作用する。処理装置が丁合い綴じ機である場合、複数のフィーダから折り丁が１枚ずつ丁合いチェーンへ送られ、そのようにして、綴じられるべきブローシュア（仮綴じ本）が形成される。
【０００３】
従来技術からさまざまな種類のフィーダが知られており、個別の枚葉紙からなるパイル用のフィーダ、束ねられたバー状の枚葉紙用のフィーダ、封じられた小さなバー状の枚葉紙用のフィーダ、いわゆる束状の枚葉紙用のフィーダなどが知られている。特許文献２は、印刷枚葉紙用マガジンと紙さばき装置とを備えている横置き型の枚葉紙フィーダを示している。印刷枚葉紙は印刷枚葉紙用マガジン内に水平方向に挿入される。紙さばきのために、１番下にある枚葉紙がドラム型フィーダによって引き出される。この処理の欠点は、印刷枚葉紙用マガジン内へ挿入できる印刷枚葉紙の枚数が大きく制限されることである。印刷枚葉紙の枚数が多すぎると、重力によって引き起こされる１番下の枚葉紙への押圧力が高くなりすぎ、そのために、その枚葉紙をもはや引き出せなくなってしまう。このような横置き型の枚葉紙フィーダを連続動作で作動させることができるようにするためには、印刷枚葉紙を短い時間的間隔でマガジン内へ手作業で挿入しなくてはならない。
【０００４】
たとえば特許文献３に記載されているような縦置き型の枚葉紙フィーダでは、より多くの枚葉紙をマガジンに装填することができる。枚葉紙はその下端が、水平方向の、もしくは若干傾いたマガジンの底面上に載っている。１番前にある枚葉紙が紙さばき装置によって引き出されて、処理装置へ供給される。このような態様のフィーダの欠点は、折り機で形成されるようなバー状や束状の枚葉紙をマガジンが収容できないことと、新たな枚葉紙を手作業で頻繁にマガジンに装填しなくてはならないことである。このときマガジンは、人間工学的に好ましくない高さにあるのが普通である。
【０００５】
前述した横置き型の枚葉紙フィーダや縦置き型の枚葉紙フィーダのほかに、折り機によって形成されるようなバー状の枚葉紙をそのまま収容することができる、さらに別の態様の２種類のフィーダが用いられている。特許文献４は、後側の搬送区間で枚葉紙をバー状の枚葉紙として受け入れ、弛緩領域でそれをずれ重なった状態にしてさらに搬送し、パイルとして紙さばき装置へ供給する、バー状の枚葉紙用のフィーダを開示している。枚葉紙は、パイルの状態では、その１つの辺を下にして垂直に立っている。バー状の枚葉紙用のフィーダにバー状の枚葉紙を装填するために、クレーンが用いられる。クレーンやクレーン軌道を設けるだけでなく、バー状の枚葉紙用のフィーダ自体を設けることも、結果的に広い所要スペースと高い投入コストをもたらす。
【０００６】
さらに別の態様のフィーダは、たとえば特許文献５に記載されているように、横置き型の枚葉紙フィーダといわゆるストリームフィーダとを組み合わせたものである。バー状の枚葉紙用のフィーダと同様に、ストリームフィーダにはバー状の枚葉紙が装填される。個々の枚葉紙は搬送ベルトによって横置き型の枚葉紙フィーダまでさらに搬送され、そこで一定の高さのパイルが用意される。この態様の欠点は、前記したのと同様に、クレーン軌道を設ける必要があることと、広い所要スペースと高い投入コストが生じることである。
【特許文献１】欧州特許明細書第０８２４０８４Ｂ１号
【特許文献２】ドイツ特許出願公開明細書第３０３５４９８Ａ１号
【特許文献３】ドイツ特許明細書第１２６５７０５号
【特許文献４】欧州特許明細書第０８４４２０１Ｂ１号
【特許文献５】米国特許第６４１９２１８Ｂ１号
【発明の開示】
【発明が解決しようとする課題】
【０００７】
本発明の目的は、従来技術の欠点を克服した、処理機械へ枚葉紙を供給する装置を提供することである。さらに、本発明の装置へバー状または束状の枚葉紙を供給する方法も提供する。
【課題を解決するための手段】
【０００８】
前記目的は、請求項１または１６の特徴事項に基づく、分割された紙積み台を備えている装置によって、また、請求項１８に記載された、このような装置に枚葉紙を装填する方法によって達成される。
【０００９】
この装置は、単純な横置き型の枚葉紙フィーダや縦置き型の枚葉紙フィーダよりもわずかに広いだけの所要スペースで、小型のバー状または束状の枚葉紙を人間工学に則って装填する、低コストの解決策を提供するという利点がある。
【００１０】
紙や厚紙などからなる枚葉紙を処理機械、特に丁合い綴じ機へ供給する、本発明の装置は、搬送装置を備えている紙積み台を有している。枚葉紙は、その１つの辺を下にして立っており、紙さばき装置を介して処理機械へ供給される。この装置の紙積み台は分割され、固定の部分と、回転軸を中心として揺動可能な部分とを有している。本発明による装置の特に好ましい一実施態様では、紙積み台の揺動可能な部分は、揺動運動により、上側の位置から、それよりも高さの低い下側の位置へ揺動可能である。その上側の位置では、紙積み台の揺動可能な部分は、紙積み台の固定の部分とともにほぼ１つの平面を形成する。ただし、およそ＋／−１０°の範囲のわずかな角度差は、許容することができ、それどころか意図的に設けられてもよい。そして、わずかな正の角度差は、枚葉紙供給装置内に新たに挿入されたパイルまたは束状の枚葉紙の重力を、そのパイルまたは束状の枚葉紙を残留パイルと一体化させるのに利用できるようにすることに寄与する。紙積み台の揺動可能な部分は、少なくとも１つの上側の位置と少なくとも１つの下側の位置で係止可能であることが好ましい。下側の位置において、枚葉紙供給装置に枚葉紙の新しいパイルまたは束状の枚葉紙が装填される。上側の位置において、新しいパイルまたは新しい束状の枚葉紙が残留パイルと一体化される。紙積み台の揺動可能な部分が、その上側の位置と下側の位置との間にさらに別の係止位置を有していれば、紙積み台の揺動可能な部分を、理想的かつ人間工学的なやり方で、機械の操作者の身長に合わせて調節することができる。
【００１１】
本発明による装置の好ましい一実施態様では、紙積み台の揺動可能な部分は、回転軸を中心として揺動可能な受け部と、受け部によって受けることが可能な台とから構成されている。たとえば、受け部はＵ字型材から形成されていてよく、載せ台をそれに差し込むことができる。載せ台が必要でないときには、それを簡単に取り外すことができる。
【００１２】
紙さばき装置へ枚葉紙を供給する本発明の装置の、より簡単な好ましい他の実施態様では、固定の紙積み台に、揺動不能なマガジン延長部を嵌め込むことができる。このとき、マガジン延長部と紙積み台の固定の部分とは１つの平面を形成する。すぐ前に記載した２つの実施態様では、載せ台を取り外したときに、もしくはマガジン延長部を取り外したときに、小さなパイルを枚葉紙供給装置へ手作業で装填することが可能である。このとき紙さばき装置は、有利には、たとえば調整を行ったり損紙を取り除いたりできるようにするために、アクセス可能な状態に保たれる。
【００１３】
本発明の好ましい有利な発展例では、揺動可能な紙積み台の揺動運動は少なくとも１つのばね、たとえばガススプリングや圧縮ばねによって支援される。これは機械の操作者の身体的な負担を小さくするためである。少なくとも１つのばねに加えて、またはそれに代えて、アクチュエータ、たとえば油圧（水圧）式、空気圧式、電気機械式のアクチュエータ、および／または電動モータを利用することもできる。好ましい実施態様では、枚葉紙供給装置の紙積み台の揺動可能な部分は、紙積み台の揺動可能な部分が下側の位置にあるときにパイルまたは束状の枚葉紙を支持するための受け支持体を有している。このことは、パイルや束状の枚葉紙の本発明の装置への簡単な挿入を可能にする。
【００１４】
枚葉紙供給装置の好ましい実施態様では、紙積み台の固定の部分にパイルホルダが取り付けられている。このパイルホルダは、立っている枚葉紙が傾いて倒れるのを防止する。
【００１５】
枚葉紙供給装置の特に好ましい有利な実施態様では、紙積み台は、搬送方向に設けられた少なくとも１つの溝を有している。この溝は、パイルまたは束状の枚葉紙の束ねた部分（Umreifung）または帯封状の部分（Banderole）を受け入れ、束ねた部分または帯封状の部分が切断された後に、束ねた部分または帯封状の部分の簡単な取外しを可能にする役目をする。
【００１６】
他のさまざまな実施態様において、枚葉紙供給装置の搬送装置は、チェーン、歯付きベルト、またはベルトを備えている供給システムを有することができる。その場合、搬送装置はモータで、および／または機械的に駆動されるのが有利である。本発明の特に好ましい発展例では、搬送装置の供給速度が可変に制御可能である。それにより、後続の処理機械の性能に合わせて枚葉紙の供給を調整することが可能である。第１の実施態様では、搬送装置は１つの駆動装置を有している。他の実施態様では、搬送装置は、紙積み台の揺動可能な部分のための駆動装置と、紙積み台の固定の部分のための駆動装置とを有している。駆動装置は、それぞれ別個の電気駆動装置、たとえばステップモータとして構成されていてもよく、または機械式の駆動装置、たとえば紙さばき装置の主駆動装置との連結部によって構成されていてもよい。本発明の特に好ましい実施態様では、枚葉紙の供給速度を、制御ループを通じて制御することができる。制御ループの一部は、残留パイルの大きさを判定するため、および搬送装置の送りを判定するための少なくとも１つのセンサであり、さらに、搬送装置の少なくとも１つの駆動装置である。さらに、新しいパイルまたは新しい束状の枚葉紙を装置内へ入れなくてはならないことを表示する警告装置が制御ループに接続されていると有利である。
【００１７】
本発明による装置の一実施態様では、供給システムはフリーホイールを有している。このフリーホイールは、紙積み台の上で束状の枚葉紙またはパイルが自由にスライドするのを可能にする。
【００１８】
分割された紙積み台を有する、処理機械へ枚葉紙を供給する装置にバー状または束状の枚葉紙を供給する方法も、本発明の一部である。第１のステップでは、紙積み台の揺動可能な部分を下側の位置へ揺動させる。第２のステップでは、バー状または束状の枚葉紙が受け支持体に支持されるように、バー状または束状の枚葉紙を紙積み台の揺動可能な部分に載せる。次のステップでは、場合によってはばねおよび／またはアクチュエータによって支援して、紙積み台の揺動可能な部分を上側の位置へ移動させる。次のステップでは、バー状または束状の枚葉紙と残留パイルとが共通のパイルを形成するまで、バー状または束状の枚葉紙を搬送方向にスライドさせる。次のステップでは、新しく形成されたパイルの端部へ移動するまで、紙積み台の固定の部分のパイルホルダを外方へ揺動させ、そこで再び内方へ揺動させる。最後のステップでは、バー状または束状の枚葉紙の帯封状の部分または束ねた部分を取り外す。
【００１９】
本発明の他の好ましい実施態様に関しては、従属請求項、ならびに添付の図面を参照する実施形態の説明を参照されたい。
【発明を実施するための最良の形態】
【００２０】
次に、本発明の実施の形態について図面を参照して説明する。
【００２１】
図１は、紙や厚紙などからなる枚葉紙４を折り丁フィーダ２へ供給する装置１を示す図である。折り丁フィーダ２では、枚葉紙４が紙積み台１０の上にあるパイルから、傾動吸引器２１によって１枚ずつ分離され、くわえづめ２２によって把持され、円軌道上にある案内部材２５および案内バー２４に沿ってレジスタストッパ２３まで搬送される。そして枚葉紙４はその後端で、後側と前側の開きシャフトの吸引部２６および２８および／またはくわえづめ２７および２９によって把持され、開かれて、丁合い綴じ機の丁合いチェーン３へ渡される。この紙さばき装置２への折り丁４の供給は、折り丁を供給する装置１によって行われる。
【００２２】
装置１は、固定の部分１０と揺動可能な部分１１とから構成されている、分割された紙積み台１０，１１を有している。紙積み台の揺動可能な部分１１は、揺動点Ｓを中心として揺動運動ａの方向に沿って揺動可能である。紙積み台の両部分１０，１１には、たとえば搬送チェーンや搬送ベルトを備えている搬送装置１６が組み込まれている。搬送装置１６は駆動モータ１７によって駆動される。
【００２３】
紙積み台の揺動可能な部分１１の下側部分には、バー状または束状の折り丁５を受けるための受け支持体１２が取り付けられている。紙積み台の固定の部分１０には、枚葉紙４が倒れるのを防ぐ、揺動方向ｃへ揺動可能な、ばね性のあるパイルホルダ１４が取り付けられている。紙積み台の固定の部分１０の上で枚葉紙４を側方から案内するために、紙積み台１０には、方向ｂに高さ調節可能な側方の案内部１５が取り付けられている。それによって、枚葉紙の判型に合わせた調節が可能である。
【００２４】
図２は、紙さばき装置２へ折り丁４を供給する同様な装置１を示している。紙積み台の揺動可能な部分１１は揺動運動ａの方向に沿って上側の位置へと揺動しており、それにより、紙積み台の固定の部分１９と揺動可能な部分１１が１つの平面を形成している。このとき、揺動運動ａはガススプリング１３によって支援（サポート）される。バー状または束状の折り丁５は、図２に示されている位置を始点として、パイルまたは束状の折り丁５が枚葉紙４からなる残留パイル６と一体化するまで、搬送装置１６により搬送方向Ｆへ搬送される。
【００２５】
図３は、紙積み台１０，１１の平面図を示している。ここでは供給システム１６をはっきりと見ることができる。紙積み台の揺動可能な部分１１は２本の搬送ベルト１６ｂを有しており、紙積み台の固定の部分１０は３本の搬送ベルト１６ａを有している。それにより、紙積み台の揺動可能な部分１１から固定の部分１０を介して紙さばき装置２に至るまで、パイル５を搬送方向Ｆへ切れ目なく搬送することが可能である。紙積み台の揺動可能な部分１１の供給システム１６は、バー状の枚葉紙を束ねた部分または束状の枚葉紙の帯封状の部分を問題なく取り外すことを可能にする溝１６ｃを有している。
【００２６】
図４は、紙さばき装置２へ折り丁を供給する装置１の、他の実施形態の平面図を示している。この場合、搬送システム１６を備えている固定の紙積み台１０に、２つのガイドレールと受け支持体１２とを備えているマガジン延長部１８が嵌め込まれている。固定の紙積み台１０のフレームは、マガジン延長部１８を受けるために受けレール（図示せず）を有している。
【図面の簡単な説明】
【００２７】
【図１】紙積み台の揺動可能な部分が下側の位置にある枚葉紙供給装置を示す図である。
【図２】紙積み台の揺動可能な部分が上側の位置にある枚葉紙供給装置を示す図である。
【図３】枚葉紙供給装置の平面図である。
【図４】他の実施形態の枚葉紙供給装置を示す平面図である。
【符号の説明】
【００２８】
１  折り丁を供給する装置（枚葉紙供給装置）
２  折り丁フィーダ
３  丁合いチェーン
４  折り丁（枚葉紙）
５  バー状または束状の折り丁（パイル）
６  残留パイル
１０  紙積み台の固定の部分
１１  紙積み台の揺動可能な部分
１２  受け支持体
１３  ガススプリング
１４  ばね性のある揺動可能なパイルホルダ
１５  高さ調節可能な側方の案内部
１６  搬送チェーンまたは搬送ベルトを備えている搬送装置
１６ａ  紙積み台の固定の部分の搬送装置の搬送ベルト
１６ｂ  紙積み台の揺動可能部分の搬送装置の搬送ベルト
１６ｃ  溝
１７  搬送装置の駆動モータ
１８  マガジン延長部
２０  探触ピン
２１  傾動吸引器
２２  くわえづめ
２３  レジスタストッパ
２４  案内バー
２５  案内部
２６  後側の開きシャフトの吸引部
２７  後側の開きシャフトのくわえづめ
２８  前側の開きシャフトの吸引部
２９  前側の開きシャフトのくわえづめ
ａ  揺動運動
ｂ  側方の案内部の調節方向
ｃ  パイルホルダの揺動方向
Ｓ  揺動点
Ｆ  搬送方向
【図１】
2008290883.tif 000003
【図２】
2008290883.tif 000004
【図３】
2008290883.tif 000005
【図４】
2008290883.tif 000006